(57)【要約】【課題】円滑な手続に資することができる口座振替受付装置、口座振替受付プログラム、口座振替受付方法、および記録媒体を提供する。【解決手段】金融機関による口座振替の登録を申し込む申請者端末２から、口座振替による引き落とし元である収納企業のウェブページを介して入力された申請者の個人情報が記憶される個人情報テーブル２１と、個人情報を金融機関端末４に送信する金融機関連携処理部と、金融機関端末４から受信した口座振替の登録状態情報を、履歴テーブル２０に記憶させると共に、個人情報と共に収納企業端末３に送信する結果処理部と、から口座振替受付装置１０を構成する。【選択図】図１
2015075819.tif 000002
【特許請求の範囲】
【請求項１】
金融機関による口座振替の登録を申し込む申請者の端末から、前記口座振替による引き落とし元である収納企業のウェブページを介して入力された前記申請者の個人情報が記憶される記憶部と、
前記個人情報を前記金融機関の端末に送信する金融機関連携処理部と、
前記金融機関の端末から受信した前記口座振替の登録状態情報を、前記記憶部に記憶させると共に、前記個人情報と共に前記収納企業に送信する結果処理部と、
から構成された、
ことを特徴とする口座振替受付装置。
【請求項２】
前記登録状態情報を、前記記憶部から抽出して前記個人情報に関連付け、前記収納企業の求めに応じて前記収納企業に開示する登録状態開示処理部が備えられた、
ことを特徴とする請求項１に記載された口座振替受付装置。
【請求項３】
前記結果処理部が、前記個人情報と共に前記登録状態情報を前記申請者の端末に送信する、
ことを特徴とする請求項１または請求項２に記載された口座振替受付装置。
【請求項４】
金融機関による口座振替の登録を申し込む申請者の端末から、前記口座振替による引き落とし元である収納企業のウェブページを介して入力された前記申請者の個人情報を記憶部に記憶する記憶手順と、
前記個人情報を前記金融機関の端末に送信する金融機関連携処理手順と、
前記金融機関の端末から受信した前記口座振替の登録状態情報を、前記記憶部に記憶させると共に、前記個人情報と共に前記収納企業に送信する結果処理手順と、
を含む、
ことを特徴とする口座振替受付方法。
【請求項５】
金融機関による口座振替の登録を申し込む申請者の端末から、前記口座振替による引き落とし元である収納企業のウェブページを介して入力された前記申請者の個人情報を記憶部に記憶する記憶手順と、
前記個人情報を前記金融機関の端末に送信する金融機関連携処理手順と、
前記金融機関の端末から受信した前記口座振替の登録状態情報を、前記記憶部に記憶させると共に、前記個人情報と共に前記収納企業に送信する結果処理手順と、
をコンピュータに実行させる、
ことを特徴とする口座振替受付プログラム。
【請求項６】
請求項５に記載された口座振替受付プログラムが記録された、
ことを特徴とするコンピュータで読み取り可能な記録媒体。
【発明の詳細な説明】
【技術分野】
【０００１】
本発明は、金融機関における口座振替の登録をオンラインで行うための口座振替受付装置、口座振替受付プログラム、口座振替受付方法、および口座振替受付プログラムが記録された記録媒体に関するものである。
【背景技術】
【０００２】
従来、銀行などの金融機関が提供する口座振替の登録はオンラインで行われている。この口座振替は、例えば商品の販売などをする企業が、商品を購入する顧客に提案する決済方法の一つであり、例えば下記特許文献１に記載された口座振替受付システムによって金融機関に登録が申請される。
【０００３】
この口座振替受付システムは、口座振替の登録を申し込む顧客（以下、「申請者」と記す。）の端末、ＡＳＰであるバーコード決済センター装置、および口座振替による引き落とし元である企業（以下、「収納企業」と記す。）のシステムがネットワークを介して接続されて構成されている。申請者は、バーコードが印刷された請求書を収納企業から受け取り、バーコードを読み取ることでバーコード決済センター装置へアクセスし、バーコード決済センター装置を介して口座振替の登録を申請する。
【０００４】
金融機関によって口座振替の受付が完了すると、申請者の端末に受付完了画面が表示されると共に口座情報が送信される。申請者は口座振替の受付の完了を確認し、収納企業への通知指示を口座情報と共にバーコード決済センター装置に送信する。バーコード決済センター装置は、口座情報などを記憶すると共に収納企業システムに送信する。
【先行技術文献】
【特許文献】
【０００５】
【特許文献１】特開２００９−１２９０９７号公報
【発明の概要】
【発明が解決しようとする課題】
【０００６】
しかし、上記した口座振替受付システムによれば、申請者は、バーコード決済センターにアクセスするために、バーコードが印刷された請求書を収納企業から受け取る必要があることや、口座振替の受付の完了を確認し、収納企業への通知指示をバーコード決済センター装置に送信する必要がある。このように手続や処理が多い場合、円滑な手続に資することができない。
【０００７】
本発明は、上記の実情に鑑みて提案されたものである。すなわち、円滑な手続に資することができる口座振替受付装置、口座振替受付プログラム、口座振替受付方法、および記録媒体の提供を目的とする。
【課題を解決するための手段】
【０００８】
上記目的を達成するために、本発明に係る口座振替受付装置は、金融機関による口座振替の登録を申し込む申請者の端末から、前記口座振替による引き落とし元である収納企業のウェブページを介して入力された前記申請者の個人情報が記憶される記憶部と、前記個人情報を前記金融機関の端末に送信する金融機関連携処理部と、前記金融機関の端末から受信した前記口座振替の登録状態情報を、前記記憶部に記憶させると共に、前記個人情報と共に前記収納企業に送信する結果処理部と、から構成された、ことを特徴とする。
【０００９】
本発明に係る口座振替受付装置は、前記登録状態情報を、前記記憶部から抽出して前記個人情報に関連付け、前記収納企業の求めに応じて前記収納企業に開示する登録状態開示処理部が備えられた、ことを特徴としている。
【００１０】
本発明に係る口座振替受付装置は、前記結果処理部が、前記個人情報と共に前記登録状態情報を前記申請者の端末に送信する、ことを特徴としている。
【００１１】
本発明に係る口座振替受付方法は、金融機関による口座振替の登録を申し込む申請者の端末から、前記口座振替による引き落とし元である収納企業のウェブページを介して入力された前記申請者の個人情報を記憶部に記憶する記憶手順と、前記個人情報を前記金融機関の端末に送信する金融機関連携処理手順と、前記金融機関の端末から受信した前記口座振替の登録状態情報を、前記記憶部に記憶させると共に、前記個人情報と共に前記収納企業に送信する結果処理手順と、を含む、ことを特徴としている。
【００１２】
本発明に係る口座振替受付プログラムは、金融機関による口座振替の登録を申し込む申請者の端末から、前記口座振替による引き落とし元である収納企業のウェブページを介して入力された前記申請者の個人情報を記憶部に記憶する記憶手順と、前記個人情報を前記金融機関の端末に送信する金融機関連携処理手順と、前記金融機関の端末から受信した前記口座振替の登録状態情報を、前記記憶部に記憶させると共に、前記個人情報と共に前記収納企業に送信する結果処理手順と、をコンピュータに実行させる、ことを特徴としている。
【００１３】
本発明に係る記録媒体は、口座振替受付プログラムが記録された、ことを特徴としている。
【発明の効果】
【００１４】
本発明に係る口座振替受付装置は上記した構成である。この構成により、申請者の個人情報の入力が収納企業のウェブページを介して行われる。また、金融機関から出力された口座振替の登録状態情報は、結果処理部によって収納企業に送信される。したがって、円滑な手続に資することができる。また、収納企業は個人情報と関連付けて登録状態情報を確認することができるため、登録状態情報を申請者ごとに確実に確認することができる。
【００１５】
本発明に係る口座振替受付装置は登録状態情報を、記憶部から抽出して個人情報に関連付け、収納企業の求めに応じて収納企業に開示する登録状態開示処理部が備えられている。この構成により、収納企業は登録状態情報を随時確認することができる。例えば、金融機関で早期に口座振替の登録が完了していれば、その状態を収納企業が早期に確認することができる。したがって、円滑な手続に資することができる。
【００１６】
本発明に係る口座振替受付装置は、結果処理部が、個人情報と共に登録状態情報を申請者の端末に送信するものである。この構成により、申請者の登録状態情報が申請者によって早期に確認される。したがって、円滑な手続に資することができる。
【００１７】
本発明に係る口座振替受付プログラム、口座振替受付方法、および口座振替受付プログラムが記録された記録媒体は、上記した効果と同様の効果を奏する。
【図面の簡単な説明】
【００１８】
【図１】本発明の実施形態に係る口座振替受付装置の構成と口座振替登録に関するシステムの概略を示した概略図である。
【図２】本発明の実施形態に係る口座振替受付装置による処理の流れを示すフロー図である。
【図３】本発明の実施形態に係る口座振替受付装置の記憶部に記憶された企業グループマスタの項目の一部を示した企業グループマスタ内訳図である。
【図４】本発明の実施形態に係る口座振替受付装置の記憶部に記憶された金融機関マスタの項目の一部を示した金融機関マスタ内訳図である。
【図５】本発明の実施形態に係る口座振替受付装置の記憶部に記憶された取引情報マスタの項目の一部を示した取引情報マスタ内訳図である。
【図６】本発明の実施形態に係る口座振替受付装置の記憶部に記憶されたユーザ管理マスタの項目の一部を示したユーザ管理マスタ内訳図である。
【図７】本発明の実施形態に係る口座振替受付装置の記憶部に記憶された画面表示項目マスタの項目の一部を示した画面表示項目マスタ内訳図である。
【図８】本発明の実施形態に係る口座振替受付装置の記憶部に記憶された履歴テーブルの項目の一部を示した履歴テーブル内訳図である。
【図９】本発明の実施形態に係る口座振替受付装置の記憶部に記憶された個人情報テーブルの項目の一部を示した個人情報テーブル内訳図である。
【図１０】本発明の実施形態に係る口座振替受付装置の収納企業選択画面を説明する収納企業選択画面説明図である。
【図１１】本発明の実施形態に係る口座振替受付装置の個人情報仕様許諾同意画面を説明する個人情報仕様許諾同意画面説明図である。
【図１２】本発明の実施形態に係る口座振替受付装置の依頼者情報入力画面を説明する依頼者情報入力画面説明図である。
【図１３】本発明の実施形態に係る口座振替受付装置の登録完了画面を説明する登録完了画面説明図である。
【発明を実施するための形態】
【００１９】
以下に、本発明の実施形態を図面に基づいて説明する。図１は本実施形態に係る口座振替受付装置１０が導入された口座振替登録に関するシステムの概略が示されている。
【００２０】
図１において、本実施形態に係る口座振替受付装置１０は、例えばインターネットなどのネットワーク１に接続され、同じくネットワーク１に接続された申請者端末２、収納企業端末３、および金融機関端末４の間で口座振替の受付を代行する。
【００２１】
金融機関による口座振替の登録を申し込む申請者が、口座振替の登録に必要な情報である個人情報を収納企業のウェブページを介して申請者端末２から入力すると、個人情報がネットワーク１を介して口座振替受付装置１０に送信される。個人情報がネットワーク１を介して金融機関端末４に引き継がれ、金融機関端末４で口座振替の登録の可否が判断される。口座振替の登録の可否に関する登録状態情報は、個人情報と共にネットワーク１を介して金融機関端末４から口座振替受付装置１０に引き継がれる。登録状態情報は個人情報と関連付けられて収納企業端末３、および申請者端末２に送信される。
【００２２】
口座振替受付装置１０は、いわゆるＡＳＰ（Ａｐｐｌｉｃａｔｉｏｎ  Ｓｅｒｖｉｃｅ  Ｐｒｏｖｉｄｅｒ）であり、通信部１１、制御部１２、および記憶部１３が備えられている。記憶部１３はシステムマスタ１４、履歴テーブル２０、および個人情報テーブル２１が格納されている。制御部１２は、収納企業特定処理部、情報入力処理部、金融機関連携処理部、結果処理部、登録状態開示処理部、および削除処理部から構成され、システムマスタ１４および各テーブル２０，２１を用いて各処理を実行する。
【００２３】
図１において、システムマスタ１４は、企業グループマスタ１５、金融機関マスタ１６、取引情報マスタ１７、ユーザ管理マスタ１８、および画面項目表示マスタ１９から構成されている。企業グループマスタ１５は収納企業の固有の情報である収納企業情報を管理するものである（図３参照）。金融機関マスタ１６は金融機関の固有の情報である金融機関情報を管理するものである（図４参照）。取引情報マスタ１７は、収納企業および金融機関の取引情報を管理するものである（図５参照）。ユーザ管理マスタ１８は、登録状態開示処理部によるダイレクト登録状況取得処理に関する情報を取得するユーザ（収納企業）の固有の情報を管理するものである（図６参照）。画面項目表示マスタ１９は、情報入力処理部によって表示される画面表示項目を管理するものである（図７参照）。
【００２４】
企業グループマスタ１５に記録された収納企業情報や、金融機関マスタ１６に記録された金融機関情報などの管理情報は、管理者情報メンテとしての「一覧画面３０」において管理者によって設定される（図２ステップＳ１）。収納企業情報は「収納企業情報（追加／更新／詳細）画面」で入力され、例えば、収納企業ごとに設定される収納企業グループコードや、収納企業コード、戻りＵＲＬ、通知メール送信の有無などである（図３参照）。また金融機関情報は「金融機関情報（追加／更新／詳細）画面」で入力され、例えば、金融機関コード、連携先ＵＲＬ、引渡電文などである（図４参照）。
【００２５】
履歴テーブル２０は申請者の個人情報や口座振替登録受付の結果などが記憶されて登録される（図８参照）。個人情報テーブル２１は申請者の個人情報が記憶されて登録される（図９参照）。
【００２６】
収納企業特定処理部は、口座振替による引き落とし元である収納企業を特定するための処理を実行する。収納企業のウェブページである「口座登録受付画面」のうち「開始」ボタンがクリックされると（図２ステップＳ２）、収納企業の企業グループコードをキーとして企業グループマスタ１５に照会される。企業グループコードが企業グループマスタ１５に登録されていれば、ＨＴＴＰのＰＯＳＴメソッドによって、所定のＵＲＬで指定された口座振替受付装置１０のプログラムに企業グループコードが引き継がれる（図２ステップＳ３）。同時に、個人情報の取り扱いについての使用許諾を確認する画面である「個人情報使用許諾同意確認画面３１」が表示される（図２ステップＳ４、図１１）。「個人情報使用許諾同意画面３１」のうち、「同意する」ボタンがクリックされると、申請者の個人情報が入力される画面である「依頼者情報入力画面３２」が表示される（図２ステップＳ５、図１２）。
【００２７】
一方、企業グループマスタ１５に企業グループコードが登録されていない場合、または所定のＵＲＬが直接入力された場合は（図２ステップＳ６）、収納企業を選択する画面である「収納企業選択画面３３」が表示される（図２ステップＳ７、図１０）。「収納企業選択画面３３」では、収納企業コードが申請者によって入力される。「収納企業選択画面３３」のうち、「次へ」ボタンがクリックされると、企業グループコードをキーとして企業グループマスタ１５に照会され、収納企業コードが企業グループマスタ１５に登録されていれば、「個人情報使用許諾同意確認画面３１」が表示される（図２ステップＳ４、図１１）。
【００２８】
情報入力処理部は、「依頼者情報入力画面３２」において金融機関を特定するための処理を実行する。「依頼者情報入力画面３２」のうち、プルダウンメニューのタイトルがクリックされるとメニューとして複数の金融機関が表示される（図１２（ｂ））。メニューから金融機関が選択されると、金融機関ごとにあらかじめ指定された入力項目が表示される。すなわち、選択された金融機関の金融機関コードをキーとして画面項目表示マスタ１９に照会され、画面項目表示マスタ１９に登録された入力項目が表示される。画面項目表示マスタ１９は、申請者の氏名（契約者氏名）の他、金融機関によっては例えば支店コード、預金種別、口座番号などが含まれるため、金融機関ごとに異なる。したがって、入力項目も金融機関ごとに異なる。入力項目には申請者の個人情報が入力される。個人情報の入力が済み、「依頼者情報入力画面３２」のうち「手続き」ボタンがクリックされると金融機関連携処理部が連動する（図２ステップＳ８）。同時に、金融機関のウェブページが表示される。
【００２９】
金融機関連携処理部は、入力項目に入力された個人情報を個人情報テーブル２１および履歴テーブル２０に登録すると共に（図２ステップＳ９）、金融機関に引き継ぐための処理を実行する（図２ステップＳ８）。金融機関連携処理部が起動すると、入力項目に入力された個人情報のうち、金融機関ごとに選択されたもの（以下、入力項目に入力された個人情報のうち金融機関ごとに選択されたものを「パラメタ」と記す。）が抽出される。金融機関コードをキーとして取引情報マスタ１７および金融機関マスタ１６に照会され、金融機関コードが登録されていれば、金融機関マスタ１６に登録された連携先ＵＲＬが参照され、この連携先ＵＲＬで指定された金融機関端末４のプログラムにパラメタが引渡電文として引き継がれる（図２ステップＳ１０）。各金融機関のウェブページの「口座情報入力画面」では、例えば生年月日や暗証番号など、承認に必要な情報が入力される（図２ステップＳ１１）。金融機関のウェブページで申請者の照会が済み、口座振替の登録の手続を完了させると（図２ステップＳ１２）、結果処理部が連動し、同時に「登録完了画面３４」が表示される（図２ステップＳ１４、図１３）。
【００３０】
結果処理部は、金融機関端末４に送信されたパラメタを口座振替の登録状態情報と共に受信する処理を実行する（図２ステップＳ１４）。登録状態情報は、例えば金融機関における口座振替の登録の可否などであり、金融機関によって異なる。パラメタおよび登録状態情報は口座振替装置１０に引渡電文として引き継がれ（図２ステップＳ１３）、パラメタおよび登録状態情報に基づいて履歴テーブル２０が更新される（図２ステップＳ１５）。
【００３１】
結果処理部は、パラメタおよび登録状態情報をメールで申請者端末２に送信する処理を実行する（図２ステップＳ１６）。履歴テーブル２０に登録されたメールアドレスが参照され、個人情報テーブル２１に登録されたお客様番号などの情報が付加されてパラメタおよび登録状態情報がアドレス宛に送信される。メールは、登録状態情報のうち例えば口座振替の登録の手続が正常である、または異常である、などの簡易な結果のみが本文に表示され、手続の処理結果詳細や個人情報がパスワード付のファイルとして添付される。
【００３２】
同様に結果処理部は、パラメタおよび登録状態情報をメールで収納企業端末３に送信する処理を実行する（図２ステップＳ１７）。企業グループマスタ１５に登録された通知メール送信の有無に則り、収納企業がメールによる通知を希望する場合、メールアドレスが参照され、個人情報テーブル２１に登録されたお客様番号などの情報が付加されてパラメタおよび登録状態情報がアドレス宛に送信される。
【００３３】
「登録完了画面３４」のうち「収納企業サイトへ」ボタンがクリックされると、結果処理部は、履歴テーブル２０から抽出した登録状態情報を、履歴テーブル２０および個人情報テーブル２１から抽出した個人情報に関連付けて収納企業端末３に送信する処理を実行する（図２ステップＳ１８）。企業グループマスタ１５に登録された戻りＵＲＬが参照され、ＨＴＴＰのＰＯＳＴメソッドによって、戻りＵＲＬで指定された収納企業端末３のプログラムに登録状態情報および個人情報が引き継がれる。同時に、収納企業のウェブページが表示される（図２ステップＳ１９）。
【００３４】
また、結果処理部では、取引情報マスタ１７が参照され、収納企業によってリアルタイム口座振替装置５が利用されている場合、パラメタおよび登録状態情報がリアルタイム口座振替装置５の口座マスタおよび申請者マスタに登録される（図２ステップＳ２０）。
【００３５】
リアルタイム口座振替装置５はＡＳＰであり、申請者による口座振替の申し込みがウェブページを介さず依頼書に基づく場合、リアルタイム口座振替装置５に入力された申請者の個人情報を、ネットワークを介して金融機関端末４に送信し、金融機関端末４から口座振替の登録の可否に関する情報を受信する。受信された口座振替の登録の可否に関する情報は申請者マスタおよび口座マスタに記憶され、収納企業端末３に表示される。
【００３６】
すなわち、口座振替受付装置１０とリアルタイム口座振替装置５とを併設することにより、口座振替の申し込みがウェブページを介して行われる場合は口座振替受付装置１０によって処理され、一方、依頼書に基づいて行われる場合はリアルタイム口座振替装置５によって処理される。なお、各装置５，１０が一体となっていてもよい。
【００３７】
登録状態開示処理部は、登録状態情報を履歴テーブル２０から抽出し、個人情報テーブル２１に登録された個人情報と関連付けて、収納企業の求めに応じて収納企業に開示する処理を実行する（図２ステップＳ２１）。申請者によって入力されたユーザＩＤとパスワードがＨＴＴＰのＰＯＳＴメソッドによってユーザ管理マスタ１８に照会され、一致すれば登録状態情報が開示される。
【００３８】
履歴テーブル２０および個人情報テーブル２１に記憶された情報は、タスクスケジューラによって所定の時刻または間隔で起動する削除処理部によって削除される（図２ステップＳ２２）。
【００３９】
なお、制御部１２を構成する各処理部は、ハードウェア構成、ＤＳＰ（Ｄｉｇｉｔａｌ  Ｓｉｇｎａｌ  Ｐｒｏｃｅｓｓｏｒ）、ＭＰＵ（Ｍｉｃｒｏ  Ｐｒｏｃｅｓｓｉｎｇ  Ｕｎｉｔ）、ソフトウェアによって実現することが可能である。例えば、ソフトウェアによって実現する場合、ＣＰＵ、あるいはＭＰＵ、ＲＡＭ、ＲＯＭなどを備えた口座振替受付装置１０により、ＲＡＭやＲＯＭに記憶されたプログラムが動作することによって実現できる。
【００４０】
したがって、口座振替受付装置１０が上記した各部の機能を果たすように動作させるプログラムを、例えばＣＤ−ＲＯＭ等の記録媒体に記録し、口座振替受付装置１０に読み込ませることによって実現できる。プログラムを記録する記録媒体としては、ＣＤ−ＲＯＭ以外に、例えばフレキシブルディスク、光ディスク等を用いることができる。また、ネットワーク１を介してプログラムを口座振替受付装置１０にダウンロードすることによっても実現できる。
【００４１】
次に、本実施形態に効果を説明する。
【００４２】
上記したとおり本実施形態によれば、申請者の個人情報の入力が収納企業のウェブページを介して行われる。したがって、円滑な手続に資することができる。
【００４３】
本実施形態によれば、結果処理部は、パラメタおよび登録状態情報をメールで申請者端末２に送信する処理を実行する（図２ステップＳ１６）。履歴テーブル２０に登録されたメールアドレスが参照され、個人情報テーブル２１に登録されたお客様番号などの情報が付加されてパラメタおよび登録状態情報がアドレス宛に送信される。メールは、登録状態情報のうち例えば口座振替の登録の手続が正常である、または異常である、などの簡易な結果のみが本文に表示され、手続の処理結果詳細や個人情報がパスワード付のファイルとして添付される。この構成により、申請者の登録状態情報が申請者によって早期に確認される。したがって、円滑な手続に資することができる。
【００４４】
本実施形態によれば、結果処理部は、パラメタおよび登録状態情報をメールで収納企業端末３に送信する処理を実行する（図２ステップＳ１７）。企業グループマスタ１５に登録された通知メール送信の有無に則り、収納企業がメールによる通知を希望する場合、メールアドレスが参照され、個人情報テーブル２１に登録されたお客様番号などの情報が付加されてパラメタおよび登録状態情報がアドレス宛に送信される。この構成により、収納企業は個人情報と関連付けて登録状態情報を確認することができるため、登録状態情報を申請者ごとに確実に確認することができる。
【００４５】
本実施形態によれば、登録状態開示処理部は、登録状態情報を履歴テーブル２０から抽出し、個人情報テーブル２１に登録された個人情報と関連付けて、収納企業の求めに応じて収納企業に開示する処理を実行する（図２ステップＳ２１）。申請者によって入力されたユーザＩＤとパスワードがＨＴＴＰのＰＯＳＴメソッドによってユーザ管理マスタ１８に照会され、一致すれば登録状態情報が開示される。この構成により、収納企業は登録状態情報を随時確認することができる。例えば、金融機関で早期に口座振替の登録が完了していれば、その状態を収納企業が早期に確認することができる。したがって、円滑な手続に資することができる。
【００４６】
本実施形態によれば、結果処理部では、取引情報マスタ１７が参照され、収納企業によってリアルタイム口座振替装置５が利用されている場合、パラメタおよび登録状態情報がリアルタイム口座振替装置５の口座マスタおよび申請者マスタに登録される（図２ステップＳ２０）。この構成により、口座振替受付装置１０とリアルタイム口座振替装置５とを併設することにより、口座振替の申し込みがウェブページを介して行われる場合は口座振替受付装置１０によって処理され、一方、依頼書に基づいて行われる場合はリアルタイム口座振替装置５によって処理される。したがって、依頼書による申し込みに対応することができるだけでなく、ウェブページを介した申し込みに対応することによりさらに円滑な手続に資することができる。
【００４７】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４８】
１                  ネットワーク
２                  申請者端末
３                  収納企業端末
４                  金融機関端末
５                  リアルタイム口座振替装置
１０                口座振替受付装置
１１                通信部
１２                制御部
１３                記憶部
１４                システムマスタ
１５                企業グループマスタ
１６                金融機関マスタ
１７                取引情報マスタ
１８                ユーザ管理マスタ
１９                画面項目表示マスタ
２０                履歴テーブル
２１                個人情報テーブル
３０                一覧画面
３１                個人情報使用許諾同意確認画面
３２                依頼者情報入力画面
３３                収納企業選択画面
３４                登録完了画面
【図１】
2015075819.tif 000003
【図２】
2015075819.tif 000004
【図３】
2015075819.tif 000005
【図４】
2015075819.tif 000006
【図５】
2015075819.tif 000007
【図６】
2015075819.tif 000008
【図７】
2015075819.tif 000009
【図８】
2015075819.tif 000010
【図９】
2015075819.tif 000011
【図１０】
2015075819.tif 000012
【図１１】
2015075819.tif 000013
【図１２】
2015075819.tif 000014
【図１３】
2015075819.tif 000015